(57)【特許請求の範囲】
【請求項１】
回線交換ドメインサービスを提供しない第１のネットワークからの回線交換フォールバックのために、無線デバイス上でフォールバックを実行するための方法であって、
該方法は、
該第１のネットワークからページングメッセージを受信することであって、該ページングメッセージは、該第１のネットワークから回線交換ネットワークへの回線交換フォールバックを実行するように該無線デバイスに命令する、ことと、
該ページングメッセージと関連付けられたサービスを示す情報に関して、該ページングメッセージを検査することと、
該サービスを示す情報から、該ページングメッセージと関連付けられた該サービスに好適なチャネルタイプを判定することと、
無線接続の確立を開始するための要求メッセージを該回線交換ネットワークに伝送することであって、該要求メッセージは、該好適なチャネルタイプを識別する、ことと、
該回線交換ネットワーク上で、該ページングメッセージと関連付けられた該サービスを使用することと
を含む、方法。
【請求項２】
判定することは、前記ページングメッセージと関連付けられたサービスが、トラフィックチャネルまた対話型リソースを要求する、ＣＳ音声呼およびＣＳサービスを含む第１のカテゴリのサービス、モバイル着信位置特定要求を含む第２のカテゴリのサービス、または補助サービスを含む第３のカテゴリのサービスのうちの１つであるかどうかを識別することを含む、請求項１に記載の方法。
【請求項３】
前記サービスが、前記第１のカテゴリのサービスである場合、前記サービスに好適なチャネルタイプは、トラフィックチャネル（ＴＣＨ）／ハーフ（Ｈ）またはＴＣＨ／フル（Ｆ）のうちの少なくとも１つである、請求項２に記載の方法。
【請求項４】
前記サービスが、前記第２または第３のカテゴリのサービスのうちの少なくとも１つである場合、前記サービスに好適なチャネルタイプは、孤立個別制御チャネル（ＳＤＣＣＨ）である、請求項２に記載の方法。
【請求項５】
前記ページングメッセージを検査することは、該ページングメッセージ内の補助サービス（ＳＳ）コード情報要素、位置特定サービス（ＬＣＳ）インジケータ情報要素、またはＬＣＳクライアント識別情報要素のうちの少なくとも１つを検出することを含み、
該ページングメッセージが、前記ＳＳコード情報要素を含むとき、前記サービスに好適なチャネルタイプは、呼独立補助サービスのために好適である、または
該ページングメッセージが、該ＬＣＳインジケータ情報要素および該ＬＣＳクライアント識別情報要素のうちの少なくとも１つを含むとき、前記サービスに好適なチャネルタイプは、モバイル着信位置特定要求のために好適である、請求項１に記載の方法。
【請求項６】
前記ページングメッセージは、ＣＳサービス通知メッセージを含む、請求項１に記載の方法。
【請求項７】
前記ページングメッセージは、予備ページングプロシージャがＳ１インターフェースを使用して実行された後に受信されるＥ−ＵＴＲＡＮ  ＲＲＣプロトコルページングメッセージを含む、請求項１に記載の方法。
【請求項８】
回線交換ドメインサービスを提供しない第１のネットワークから回線交換フォールバックを行うように構成されている無線デバイスであって、該無線デバイスは、プロセッサを含み、
該プロセッサは、
該第１のネットワークからページングメッセージを受信することであって、該ページングメッセージは、該第１のネットワークから回線交換ネットワークへの回線交換フォールバックを実行するように該無線デバイスに命令する、ことと、
該ページングメッセージと関連付けられたサービスを示す情報に関して、該ページングメッセージを検査することと、
該サービスを示す情報から、該ページングメッセージと関連付けられた該サービスに好適なチャネルタイプを判定することと、
無線接続の確立を開始するための要求メッセージを該回線交換ネットワークに伝送することであって、該要求メッセージは、該好適なチャネルタイプを識別する、ことと、
該回線交換ネットワーク上で、該ページングメッセージと関連付けられた該サービスを使用することと
を行うように構成されている、無線デバイス。
【請求項９】
前記プロセッサは、前記ページングメッセージと関連付けられたサービスが、トラフィックチャネルまた対話型リソースを要求する、ＣＳ音声呼およびＣＳサービスを含む第１のカテゴリのサービス、モバイル着信位置特定要求を含む第２のカテゴリのサービス、または補助サービスを含む第３のカテゴリのサービスのうちの１つであるかどうかを識別するように構成されている、請求項８に記載の無線デバイス。
【請求項１０】
前記サービスが、前記第１のカテゴリのサービスである場合、前記サービスに好適なチャネルタイプは、トラフィックチャネル（ＴＣＨ）／ハーフ（Ｈ）またはＴＣＨ／フル（Ｆ）のうちの少なくとも１つである、請求項９に記載の無線デバイス。
【請求項１１】
前記サービスが、前記第２または第３のカテゴリのサービスのうちの少なくとも１つである場合、該サービスに好適なチャネルタイプは、孤立個別制御チャネル（ＳＤＣＣＨ）である、請求項９に記載の無線デバイス。
【請求項１２】
前記プロセッサは、前記ページングメッセージ内の補助サービス（ＳＳ）コード情報要素、位置特定サービス（ＬＣＳ）インジケータ情報要素、またはＬＣＳクライアント識別情報要素のうちの少なくとも１つを検出するように構成されており、
該ページングメッセージが、該ＳＳコード情報要素を含むとき、前記サービスに好適なチャネルタイプは、呼独立補助サービスに好適である、または
該ページングメッセージが、該ＬＣＳインジケータ情報要素および該ＬＣＳクライアント識別情報要素のうちの少なくとも１つを含むとき、該サービスに好適なチャネルタイプは、モバイル着信位置特定要求のために好適である、請求項８に記載の無線デバイス。
【請求項１３】
前記ページングメッセージは、ＣＳサービス通知メッセージを含む、請求項８に記載の無線デバイス。
【請求項１４】
前記ページングメッセージは、予備ページングプロシージャがＳ１インターフェースを使用して実行された後に受信されるＥ−ＵＴＲＡＮ  ＲＲＣプロトコルページングメッセージを含む、請求項８に記載の無線デバイス。
【発明の詳細な説明】
【技術分野】
【０００１】
関連出願の相互参照
本願は、２００９年１１月９日に出願された欧州特許出願第０９３０６０７５．４（名称「Ｄｅｔｅｒｍｉｎａｔｉｏｎ  ｏｆ  Ａｐｐｒｏｐｒｉａｔｅ  Ｒａｄｉｏ  Ｒｅｓｏｕｒｃｅ  ｔｏ  ｂｅ  Ｒｅｑｕｅｓｔｅｄ  ｉｎ  Ｃａｓｅ  ｏｆ  ａ  Ｃｉｒｃｕｉｔ−Ｓｗｉｔｃｈｅｄ  （ＣＳ）  Ｆａｌｌｂａｃｋ  Ｐｒｏｃｅｄｕｒｅ」）に対する優先権を主張し、この欧州特許出願を参考として援用する。
【０００２】
本開示は、概して、無線デバイスまたはユーザエージェント（ＵＡ）とネットワークとの間の通信のためのシステムおよび方法に関して、より具体的には、無線デバイスと、回線交換ネットワークを含む、ネットワークとの間の通信リソースを調整するためのシステムおよび方法に関する。
【背景技術】
【０００３】
本明細書で使用される場合、用語「ユーザエージェント」または「ＵＡ」は、携帯電話、携帯端末（ＰＤＡ）、ハンドヘルドまたはラップトップコンピュータ、および電気通信能力を有する基地局（ＭＳ）またはユーザ機器（ＵＥ）を含む、類似デバイスを指す可能性がある。いくつかの実施形態では、ＵＡは、モバイル無線デバイスを指してもよい。用語「ＵＡ」はまた、デスクトップコンピュータ、セットトップボックス、またはネットワークノード等の類似能力を有するが、概して、可搬性ではない、デバイスを指してもよい。
【０００４】
ＵＡは、高速データおよび／または音声通信を提供する、無線通信ネットワーク内で動作してもよい。無線通信ネットワークは、回線交換（ＣＳ）および／またはパケット交換（ＰＳ）通信プロトコルを実行し、種々のサービスを提供してもよい。例えば、ＵＡは、拡張ユニバーサル地上無線アクセスネットワーク（Ｅ−ＵＴＲＡＮ）、ユニバーサル地上無線アクセスネットワーク（ＵＴＲＡＮ）、モバイル通信用グローバルシステム（ＧＳＭ（登録商標））ネットワーク、高速データ通信の最適化（ＥＶ−ＤＯ）、デジタル拡張コードレス電気通信（ＤＥＣＴ）、デジタルＡＭＰＳ（ＩＳ−１  ３６／ＴＤＭＡ）、統合デジタル拡張ネットワーク（ｉＤＥＮ）、ユニバーサルモバイル電気通信システム（ＵＭＴＳ）、ＧＳＭ（登録商標）進化型拡張データレート（ＥＤＧＥ）、ＧＰＲＳ／ＥＤＧＥ無線アクセスネットワーク（ＧＥＲＡＮ）、および汎用パケット無線サービス（ＧＰＲＳ）技術のうちの１つ以上に従って動作してもよい。ＵＡが動作し得る、他の無線ネットワークとして、符号分割多重接続（ＣＤＭＡ）、ｃｄｍａ２０００、ｃｄｍａ２０００  １
ｘＲＴＴ、ｃｄｍａ２０００  ＨＲＰＤ、ＷＬＡＮ（例えば、  ＩＥＥＥ  ８０２．１１）、およびＷＲＡＮ（例えば、ＩＥＥＥ  ８０２．２２）が挙げられるが、それらに限定されない。ＵＡはまた、例えば、デジタル加入者回線（ｘＤＳＬ）環境、ケーブルサービスを介したデータ伝送インターフェース仕様（ＤＯＣＳＩＳ）ケーブルネットワーク、無線パーソナルエリアネットワーク（ＰＡＮ）、Ｂｌｕｅｔｏｏｔｈ（登録商標）、ＺｉｇＢｅｅ、無線メトロポリタンエリアネットワーク（ＭＡＮ）（例えば、ＷｉＭＡＸ、ＩＥＥＥ  ８０２．２０、ＩＥＥＥ  ８０２．２２  Ｅｔｈｅｒｎｅｔ（登録商標））、または光ネットワーク等の固定ネットワーク環境内で動作してもよい。いくつかのＵＡは、多重モード動作が可能であってもよく、その場合、単一アクセスネットワーク上で同時に、またはいくつかのデバイス内で、複数のアクセス技術を同時に使用してのいずれかにおいて、２つ以上のアクセスネットワーク技術に基づいて動作することができる。
【０００５】
無線電気通信システムでは、基地局内の伝送機器は、セルとして知られる地理的領域を通して、信号を伝送する。技術の進歩に伴って、以前は不可能であったサービスを提供可能な、より高度なネットワークアクセス機器が導入されてきている。本高度機器として、例えば、基地局または他のシステムではなく、拡張ユニバーサル地上無線アクセスネットワーク（Ｅ−ＵＴＲＡＮ）ノードＢ（ｅＮＢ）、および従来の無線電気通信システム内の同等危機より遥かに拡張されたデバイスを含む場合がある。そのような高度または次世代機器は、本明細書では、ロングタームエボリューション（ＬＴＥ）機器と称されてもよく、そのような機器を使用するパケットベースのネットワークは、拡張パケットシステム（ＥＰＳ）と称される可能性がある。本明細書で使用されるように、用語「アクセスデバイス」は、ＵＡに、電気通信システム内の他の構成要素へのアクセスを提供することができる、従来の基地局、ｅＮＢ、または他のＬＴＥアクセスデバイス等の任意の構成要素を指すであろう。
【０００６】
前述の異なるネットワークは、接続されたＵＡに様々なサービスを提供する。いくつかのネットワークは、例えば、ＰＳサービスのみを提供し、ＣＳ音声または他のＣＳドメインサービスを提供することはできない。したがって、ＵＡは、ＰＳおよびＣＳドメインサービスの両方にアクセスするために、複数のネットワークタイプに接続するように構成されてもよい。例えば、ＵＡが、ＣＳドメインサービスを提供しない第１のネットワークセルに接続される場合、ＵＡは、本明細書では、「ＣＳフォールバック」と称されてもよい、ＣＳフォールバックプロシージャを実行し、ＧＥＲＡＮまたはユニバーサル地上無線アクセスネットワーク（ＵＴＲＡＮ）等のアクセス可能なネットワークに接続し、それらのネットワークによって提供される音声または他のＣＳドメインサービスにアクセスするように構成されてもよい。したがって、ＣＳフォールバックプロシージャは、第１の無線アクセス技術（ＲＡＴ）を使用し、ＰＳドメインサービスのみを提供する、ネットワークに接続されたＵＡを、ＣＳドメインサービスを提供する、別のネットワークに接続させる。ＣＳフォールバックは、例えば、音声呼を開始する際、ＰＳドメインサービスのみを提供するネットワークのセルと関連付けられているとき、ＣＳドメインサービスを提供するネットワークのセルを介して、音声呼を開始するために使用されてもよい。ＵＡ開始音声呼は、ＰＳドメインサービスのみを提供する、ネットワークのセル上でアイドル状態または接続（例えば、アクティブ）状態のいずれかであってもよい。ＵＡがアイドル状態の場合、セル上にキャンプオンすることができ、モバイル着信セッションまたは呼のためのメッセージをページングするためのそのセルのページングチャネルを監視してもよい。ＵＡが接続状態の場合、セルと通信し、ＰＳドメインサービスのためのデータを転送してもよい。
【０００７】
図１を参照すると、ＵＡ１０が、音声呼を開始するためのＣＳドメインサービスにアクセスするために、Ｅ−ＵＴＲＡＮネットワークセル１２からＧＥＲＡＮまたはＵＴＲＡＮセル１４に移行する、例示的ＣＳフォールバックプロセスが例証される。説明されるように、ＣＳフォールバックを促進するために、ＵＡ１０は、ＰＳベースおよびＣＳベースのネットワークの両方と通信するように構成されてもよい。例えば、ＵＡ１０は、ＥＰＳ／国際移動電話加入者識別番号（ＩＭＳＩ）アタッチのための組み合わせられたプロシージャと、移動管理エンティティ（ＭＭＥ）を登録し、ＰＳドメインサービス（例えば、Ｅ−ＵＴＲＡＮ、ＵＴＲＡＮ、またはＧＥＲＡＮアクセスネットワークを介して）にアクセスするために、かつモバイル交換センタ（ＭＳＣ）に登録し、ＣＳドメインサービス（例えば、ＵＴＲＡＮまたはＧＥＲＡＮアクセスネットワークあるいは別のネットワークサポートＣＳドメインサービスを介して）にアクセルするためのトラッキングエリアアップデートとをサポートしてもよい。組み合わせられたプロシージャはまた、ＭＳＣおよびＭＭＥに、それぞれ、ＵＡ１０が、ＭＳＣおよびＭＭＥの両方に登録され、したがって、ＵＡ１０が、ＰＳおよびＣＳネットワークの両方に登録されていることを認識するように、相互間の関連付けを生成させる。
【０００８】
図２は、モバイル着信ＣＳフォールバックプロシージャのための例示的データフローを例証する、データフロー図であって、ここでは、接続モードにあるＵＡ１０は、ＧＥＲＡＮまたはＵＴＲＡＮにリダイレクトされる。図１では、ＵＡ１０は、最初、Ｅ−ＵＴＲＡＮセル１２に接続されている。Ｅ−ＵＴＲＡＮセル１２は、ＣＳドメインサービスを提供しないため、ＵＡ１０は、ＣＳフォールバックを実装し、ＧＥＲＡＮまたはＵＴＲＡＮセル１４と通信し、それによって提供されるＣＳドメインサービスにアクセスする。
【０００９】
一例として、モバイル発信音声呼に関連する、ネットワーク補助セル変更（ＮＡＣＣ）が説明される。図１および２を参照すると、例示的プロセスは、ＭＳＣ１６が、ＣＳページング１８をＭＭＥ２０に送信することによって開始し、順に、ＭＭＥ２０に、ＣＳサービス通知ページング２２をＵＡ１０に送信するように指示する。図１では、Ｅ−ＵＴＲＡＮセル１２からの通信は、矢印２３によって示され、ＵＡ１０からＥ−ＵＴＲＡＮセル１２への通信は、矢印２５によって示される。ＣＳサービス通知ページング２２に応答して、ＵＡ１０は、拡張サービス要求２４をＥ−ＵＴＲＡＮセル１２のｅＮＢ２６に送信する。しかしながら、Ｅ−ＵＴＲＡＮセルは、ＣＳドメインサービスを提供するように構成されていない。したがって、ＭＭＥ２０は、ＣＳフォールバックインジケータ３０を伴う、Ｓ１アプリケーションプロトコル（Ｓ１−ＡＰ）メッセージをｅＮＢ２６に送信する。
【００１０】
例示的データフローを効率化するために、図２は、割り当てられ得る近傍セルの信号強度等の情報を示すために、ＵＡ１０によって提供され得る、オプション測定レポート３２等、ボックスによって、いくつかのデータフローを示す。すなわち、ＣＳフォールバックを行うとき、ＵＡ１０は、どのセルまたは複数のセルが、フォールバックを行うべき候補セルであるかを判定するために最良の位置にあってもよい。したがって、ＵＡ１０は、どのセルが、近接しているか、あるいは特に、強力な受信信号強度または質を有するか（あるいは他のそのようなパラメータ）、ひいては、どのセルＵＡ１０が、ＣＳフォールバックプロセス後、正常接続を有する可能性があるかを検出することがでる。故に、ＣＳフォールバックプロセスの際、ＵＡ１０は、測定ステップを受け、ＵＡ１０にアクセス可能なセルを検出および識別してもよい。言い換えると、ＣＳドメインサービスを提供するセルにフォールバックする前に、ＵＡ１０は、測定プロセスを介して、利用可能な候補ネットワークセルを検索してもよい。
【００１１】
ｅＮｏｄｅＢ（ｅＮＢ）は、随意に、ＵＡ１０に送信されるＮＡＣＣ信号３４によって、ＲＡＴセル間変更命令をトリガしてもよく、代替として、リダイレクトによる接続解放が、信号伝達される３６。ｅＮＢ２６は、Ｓ１−ＡＰに従って、ＭＭＥ２０へのＵＡコンテキスト解放要求３８を示す。その後、Ｓ１  ＵＡコンテキスト解放４０が行われ、位置特定エリア（ＬＡ）アップデート、組み合わせられた経路選択エリア（ＲＡ）／ＬＡアップデート、ＲＡアップデート、またはＬＡアップデートおよびＲＡアップデート４２が、新しいＧＥＲＡＮまたはＵＴＲＡＮセル内で生じる。標的ＲＡＴがＧＥＲＡＮである場合、ＰＳサービスの中断が、新しいセルまたはＵＡが、同時ＣＳおよびＰＳサービスをサポートしない場合に行われてもよい。この場合、中断メッセージ４４は、ＵＡ１０から基地局システム（ＢＳＳ）４６に送信され、次いで、ＢＳＳ４６からサービングＧＰＲＳ（汎用パケット無線サービス）サポートノード（ＳＧＳＮ）４８に通信される。その後、中断要求／応答５０は、ＳＧＳＮ４８とＭＭＥ２０との間で通信され、ベアラ５２のアップデートが、ＭＭＥ２０とサービングゲートウェイ（Ｓ−ＧＷ）５４との間で行われる。
【００１２】
ＵＡ１０は、ページング応答５６をＢＳＳ／ＲＮＳ４６に信号伝達し、順に、本ページング応答をＭＳＣ１６に転送する。ＣＳフォールバックが、ＭＳＣ１６の変更を伴う場合、ＭＳＣ１６からＢＳＳ／ＲＮＳ４６への接続拒否６０の通信、ＢＳＳ／ＲＮＳ４６からＵＡ１０への接続解放６２の通信、ＬＡアップデート、または組み合わせられたＲＡ／ＬＡアップデート６４等、ボックス５８に示されるように、付加的ステップが行われてもよい。最後に、図１に示されるように、ＵＡ１０が、矢印６８によって示されるように、Ｅ−ＵＴＲＡＮセル１２との通信から移動し、矢印７０によって示されるように、ＣＳチャネルを介して、ＧＥＲＡＮまたはＵＴＲＡＮセル１４と通信することができるように、ＣＳ呼確立プロシージャ６６が生じる。
【００１３】
ＣＳフォールバックを実行する際、遅延が懸念される場合がある。ＵＡ１０が、最初、Ｅ−ＵＴＲＡＮセル１２にキャップオンし、ＧＥＲＡＮまたはＵＴＲＡＮセル１４内のＣＳドメインサービスにアクセスすることを所望する場合、ＣＳフォールバックプロセスが実行されてもよい。ＣＳフォールバックプロセスの無線リソース制御（ＲＲＣ）接続設定プロシージャは、比較的に短い場合があるが（例えば、約１５０ｍｓは、Ｅ−ＵＴＲＡシステム設計に対する標的時間である）、測定ステップおよびＣＳドメインサービスのための標的セルを選択するためのステップは、潜在的に、相当な時間がかかる可能性がある。したがって、ＣＳフォールバックは、遅延され、ＣＳドメインサービスを確立する際に遅延をもたらし、可能性として、ユーザに対する接続の確立を遅延させる、またはＵＡ１０によってアクセスされる他のサービスに悪影響を及ぼす場合がある。
【００１４】
ユーザが、サービスにおける知覚可能な遅延を経験する本潜在性に加え、ＣＳフォールバックは、ネットワークリソースの非効率的または不適切な使用をもたらす可能性がある。例えば、ＵＡが、モバイル着信呼のために、ＧＥＲＡＮまたはＵＴＲＡＮネットワーク内でページングされるとき、いくつかの情報は、ネットワークによって、ページングメッセージ内で通信される。すなわち、ページングメッセージは、ＵＡがページングされるサービスの指示、またはサービスをサポートするための適切な無線チャネルタイプの指示を提供してもよい。同様に、モバイル発信（ＭＯ）呼の場合、ＵＡは、ネットワークに、要求されるサービスまたはチャネルタイプを反映する確立原因を示している。したがって、ネットワークは、所望の通信のために適切なチャネルを合理的に配分することができる。
【００１５】
しかしながら、そのような情報は、ＣＳフォールバックプロシージャを開始するときに使用される対応するＥ−ＵＴＲＡＮインターフェース上で利用不可能であるか、または利用可能であるが、ＧＥＲＡＮ、ＵＴＲＡＮ、またはＥ−ＵＴＲＡＮ内で無線チャネルを要求／配分するためにアクセスされないかのいずれかである。結果として、ネットワークは、ＣＳフォールバック性能に影響を及ぼす可能性がある、音声呼をサービスするための信号伝達チャネル、または無線リソースの無駄を生じさせる、信号伝達プロシージャをサービングするためのトラフィックチャネル等の非最適リソースを配分するように決定する場合がある。
【発明の概要】
【発明が解決しようとする課題】
【００１６】
したがって、前述の課題を解決し、ＣＳフォールバックのための最適リソースの設定および使用を可能にする、システムおよび方法は、当技術分野において、有用な改良を提供するであろう。
【課題を解決するための手段】
【００１７】
本開示は、回線交換（ＣＳ）フォールバックのための、具体的には、遅延を最小限にし、無線リソース配分を最適化し、ＣＳフォールバックに対する信頼性を改善するためのシステムおよび方法を提供する。
【００１８】
本発明の一実施形態は、回線交換ドメインサービスを提供しない第１のネットワークからの回線交換フォールバックのために、無線デバイス上にフォールバックを実行するための方法を含む。方法は、第１のネットワークからページングメッセージを受信するステップを含む。ページングメッセージは、無線デバイスに、回線交換フォールバックを回線交換ネットワークに実行するように命令する。方法は、ページングメッセージと関連付けられたサービスを示す情報に関して、ページングメッセージを検査するステップと、サービスを示す情報から、サービスに好適なチャネルタイプを判定するステップと、無線接続の確立を開始するための要求メッセージを伝送するステップと、を含む。要求メッセージは、好適なチャネルタイプを識別する。方法は、回線交換ネットワーク上でサービスを使用するステップを含む。
【００１９】
他の実施形態は、サービス要求メッセージを構築するように構成される、プロセッサを含む、回線交換ドメインサービスを提供しない第１のネットワークから回線交換フォールバックを行うように構成される、無線デバイスを含む。サービス要求メッセージは、回線交換ネットワークによって提供される回線交換（ＣＳ）サービスの原因を識別する。プロセッサは、サービス要求メッセージを第１のネットワークに伝送するように構成される。サービス要求メッセージは、フォールバックプロシージャを開始する。プロセッサは、回線交換ネットワークへの接続を確立し、回線交換ネットワーク上でＣＳサービスを使用するように構成される。
【００２０】
他の実施形態は、第１のネットワークからページングメッセージを受信するように構成される、プロセッサを含む、回線交換ドメインサービスを提供しない第１のネットワークから回線交換フォールバックを行うように構成される、無線デバイスを含む。ページングメッセージは、無線デバイスに、回線交換フォールバックを回線交換ネットワークに実行するように命令する。プロセッサは、ページングメッセージと関連付けられたサービスを示す情報に関して、ページングメッセージを検査し、サービスを示す情報から、サービスに好適なチャネルタイプを判定し、無線接続の確立を開始するための要求メッセージを伝送するように構成される。要求メッセージは、好適なチャネルタイプを識別する。プロセッサは、回線交換ネットワーク上でサービスを使用するように構成される。
【００２１】
付随の図面では、同一参照番号は、同一部分または動作を表す。
例えば、本発明は以下の項目を提供する。
（項目１）
回線交換ドメインサービスを提供しない第１のネットワークからの回線交換フォールバックのために、無線デバイス上にフォールバックを実行するための方法であって、
該第１のネットワークからページングメッセージを受信することであって、該ページングメッセージは、該無線デバイスに、回線交換フォールバックを回線交換ネットワークに実行するように命令する、ことと、
該ページングメッセージと関連付けられたサービスを示す情報に関して、該ページングメッセージを検査することと、
該サービスを示す情報から、該サービスに好適なチャネルタイプを判定することと、
無線接続の確立を開始するための要求メッセージを伝送することであって、該要求メッセージは、該好適なチャネルタイプを識別する、ことと、
該回線交換ネットワーク上で該サービスを使用することと
を含む、方法。
（項目２）
判定することは、上記ページングメッセージと関連付けられたサービスが、トラフィックチャネルまた対話型リソースを要求する、ＣＳ音声呼およびＣＳサービスを含む、第１のカテゴリのサービス、モバイル着信位置特定要求を含む、第２のカテゴリのサービス、または補助サービスを含む、第３のカテゴリのサービスのうちの１つであるかどうかを識別するステップを含む、項目１に記載の方法。
（項目３）
上記サービスが、上記第１のカテゴリのサービスである場合、上記サービスに好適なチャネルタイプは、トラフィックチャネル（ＴＣＨ）／ハーフ（Ｈ）またはＴＣＨ／フル（Ｆ）のうちの少なくとも１つである、項目２に記載の方法。
（項目４）
上記サービスが、上記第２または第３のカテゴリのサービスのうちの少なくとも１つである場合、上記サービスに好適なチャネルタイプは、孤立個別制御チャネル（ＳＤＣＣＨ）である、項目２に記載の方法。
（項目５）
上記ページングメッセージを検査することは、該ページングメッセージ内の補助サービス（ＳＳ）コード情報要素、位置特定サービス（ＬＣＳ）インジケータ情報要素、またはＬＣＳクライアント識別情報要素のうちの少なくとも１つを検出することを含み、
該ページングメッセージが、上記ＳＳコード情報要素を含むとき、上記サービスに好適なチャネルタイプは、呼独立補助サービスのために好適である、または
該ページングメッセージが、該ＬＣＳインジケータ情報要素および該ＬＣＳクライアント識別情報要素のうちの少なくとも１つを含むとき、上記サービスに好適なチャネルタイプは、モバイル着信位置特定要求のために好適である、項目１に記載の方法。
（項目６）
上記ページングメッセージは、ＣＳサービス通知メッセージを含む、項目１に記載の方法。
（項目７）
上記ページングメッセージは、予備ページングプロシージャが、Ｓ１インターフェースを使用して、実行された後に受信される、Ｅ−ＵＴＲＡＮ  ＲＲＣプロトコルページングメッセージを含む、項目１に記載の方法。
（項目８）
回線交換ドメインサービスを提供しない第１のネットワークから回線交換フォールバックを行うように構成される、無線デバイスであって、該無線デバイスはプロセッサを含み、
該プロセッサは、
サービス要求メッセージを構築し、該サービス要求メッセージは、回線交換ネットワークによって提供される回線交換（ＣＳ）サービスの原因を識別することと、
該サービス要求メッセージを該第１のネットワークに伝送し、該サービス要求メッセージは、フォールバックプロシージャを開始することと、
該回線交換ネットワークへの接続を確立することと、
該回線交換ネットワーク上で該ＣＳサービスを使用することと
を行うように構成される、無線デバイス。
（項目９）
上記第２のネットワークセルによって提供される上記サービスの原因は、発信対話型呼、発信高優先度信号伝達、または発信低優先度信号伝達のうちの少なくとも１つを含む、項目８に記載の無線デバイス。
（項目１０）
上記サービスの原因は、発信高優先度信号伝達または発信低優先度信号伝達のうちの少なくとも１つを含み、上記サービス要求メッセージは、補助サービス（ＳＳ）コード情報要素、位置特定サービス（ＬＣＳ）インジケータ情報要素、またはＬＣＳクライアント識別情報要素のうちの少なくとも１つを含む、項目８に記載の無線デバイス。
（項目１１）
上記サービス要求メッセージは、拡張サービス要求メッセージを含む、項目８に記載の無線デバイス。
（項目１２）
上記サービス要求メッセージは、サービスタイプ情報要素を含み、該サービスタイプ情報要素は、上記回線交換（ＣＳ）サービスを識別する、項目８に記載の無線デバイス。
（項目１３）
上記サービス要求メッセージは、ＲＲＣ接続要求メッセージを含む、項目８に記載の無線デバイス。
（項目１４）
回線交換ドメインサービスを提供しない第１のネットワークから回線交換フォールバックを行うように構成される、無線デバイスであって、該無線デバイスはプロセッサを含み、
該プロセッサは、
該第１のネットワークからページングメッセージを受信することであって、該ページングメッセージは、該無線デバイスに、回線交換フォールバックを回線交換ネットワークに実行するように命令する、ことと、
該ページングメッセージと関連付けられたサービスを示す情報に関して、該ページングメッセージを検査することと、
該サービスを示す情報から、該サービスに好適なチャネルタイプを判定することと、
無線接続の確立を開始するための要求メッセージを伝送し、該要求メッセージは、該好適なチャネルタイプを識別することと、
該回線交換ネットワーク上で該サービスを使用することと
を行うように構成される、無線デバイス。
（項目１５）
上記プロセッサは、上記ページングメッセージと関連付けられたサービスが、トラフィックチャネルまた対話型リソースを要求する、ＣＳ音声呼およびＣＳサービスを含む、第１のカテゴリのサービス、モバイル着信位置特定要求を含む、第２のカテゴリのサービス、または補助サービスを含む、第３のカテゴリのサービスのうちの１つであるかどうかを識別するように構成される、項目１４に記載の無線デバイス。
（項目１６）
上記サービスが、上記第１のカテゴリのサービスである場合、上記サービスに好適なチャネルタイプは、トラフィックチャネル（ＴＣＨ）／ハーフ（Ｈ）またはＴＣＨ／フル（Ｆ）のうちの少なくとも１つである、項目１５に記載の無線デバイス。
（項目１７）
上記サービスが、上記第２または第３のカテゴリのサービスのうちの少なくとも１つである場合、該サービスに好適なチャネルタイプは、孤立個別制御チャネル（ＳＤＣＣＨ）である、項目１５に記載の無線デバイス。
（項目１８）
上記プロセッサは、上記ページングメッセージ内の補助サービス（ＳＳ）コード情報要素、位置特定サービス（ＬＣＳ）インジケータ情報要素、またはＬＣＳクライアント識別情報要素のうちの少なくとも１つを検出するように構成され、
該ページングメッセージが、該ＳＳコード情報要素を含むとき、上記サービスに好適なチャネルタイプは、呼独立補助サービスに好適である、または、
該ページングメッセージが、該ＬＣＳインジケータ情報要素および該ＬＣＳクライアント識別情報要素のうちの少なくとも１つを含むとき、該サービスに好適なチャネルタイプは、モバイル着信位置特定要求のために好適である、項目１４に記載の無線デバイス。
（項目１９）
上記ページングメッセージは、ＣＳサービス通知メッセージを含む、項目１４に記載の無線デバイス。
（項目２０）
上記ページングメッセージは、予備ページングプロシージャが、Ｓ１インターフェースを使用して、実行された後に受信される、Ｅ−ＵＴＲＡＮ  ＲＲＣプロトコルページングメッセージを含む、項目１４に記載の無線デバイス。
【図面の簡単な説明】
【００２２】
【図１】図１は、例示的ＣＳフォールバックプロセスの例証であって、ＵＥは、アクセス音声呼を開始するためのＣＳドメインサービスにアクセスするために、Ｅ−ＵＴＲＡＮセルからＧＥＲＡＮまたはＵＴＲＡＮセルに移行する。
【図２】図２は、モバイル着信ＣＳフォールバックプロシージャのための例示的データフローを例証する、データフロー図であって、接続モードにあるＵＡは、ＰＳハンドオーバを伴わずに、ＧＥＲＡＮまたはＵＴＲＡＮにリダイレクトされる。
【図３】図３は、ＧＥＲＡＮネットワークにおける例示的モバイル着信呼開始を例証する、データフロー図であって、ＵＡは、アイドルモードにある。
【図４】図４は、ＵＴＲＡＮネットワークにおける例示的モバイル着信呼開始を例証する、データフロー図であって、ＵＡは、アイドルモードにある。
【図５】図５は、Ｅ−ＵＴＲＡＮネットワークによって開始される、パケット交換ハンドオーバを伴う、例示的モバイル発信ＣＳフォールバックプロシージャを例証する、データフロー図である。
【図６】図６は、例示的モバイル着信ＣＳフォールバックを実行するためのデータフローの例証であって、サービス関連情報は、ページングメッセージ内において、アイドルモードにあるＵＡにパスされる。
【図７】図７は、ユーザ機器（ＵＡ）のブロック図を示す。
【図８】図８は、ユーザ機器のプロセッサによって実行されてもよい、ソフトウェア環境を例証する。
【図９】図９は、ネットワーク間で移行するセッションに対して、連続性を提供するための方法を実行するために好適な処理構成要素を含む、システムの実施例を例証する。
【発明を実施するための形態】
【００２３】
次に、添付の図面を参照して、本開示の種々の側面を説明するが、同一数字は、全体を通して、同一または対応する要素を指す。しかしながら、図面およびそれに関連する詳細な説明は、請求される主題を開示される特定の形態に限定することを意図するものではないことを理解されたい。むしろ、請求される主題の精神および範囲内にある、あらゆる修正、均等物、および代替を網羅することを意図する。
【００２４】
本明細書で使用されるように、用語「構成要素、「システム」等は、コンピュータ関連エンティティを指しことを意図し、ハードウェア、ハードウェアとソフトウェアの組み合わせ、ソフトウェア、または実行中のソフトウェアのいずれかである。例えば、構成要素は、プロセッサ上で実行するプロセス、プロセッサ、オブジェクト、実行ファイル、実行のスレッド、プログラム、および／またはコンピュータであってもよいが、それらに限定されない。例証として、コンピュータ上で実行するアプリケーションおよびコンピュータの両方が、構成要素である可能性がある。１つ以上の構成要素は、プロセスおよび／または実行のスレッド内に常駐してもよく、構成要素は、１つのコンピュータ上にローカライズされる、および／または２つ以上のコンピュータ間に分散されてもよい。
【００２５】
用語「例示的」は、本明細書では、実施例、事例、または例証としての役割を果たすことを意味するために使用される。「例示的」として、本明細書に説明される任意の側面または設計は、必ずしも、他の側面または設計より好ましいまたは有利であるものとして、解釈されるわけではない。
【００２６】
さらに、開示される主題は、標準的プログラミングおよび／またはエンジニアリング技法を使用して、ソフトウェア、ファームウェア、ハードウェア、または任意のそれらの組み合わせを生成し、本明細書に詳述される側面を実装するために、コンピュータまたはプロセッサベースのデバイスを制御するためのシステム、方法、装置、または製品として、実装されれてもよい。用語「製品」（または、代替として、「コンピュータプログラム製品」）は、本明細書で使用されるように、任意のコンピュータ読み取り可能デバイス、キャリア、またはメディアからアクセス可能なコンピュータプログラムを包含することが意図される。例えば、コンピュータ読み取り可能媒体として、磁気記憶デバイス（例えば、ハードティスク、フロッピー（登録商標）ディスク、磁気ストリップ等）、光ディスク（例えば、コンパクトディスク（ＣＤ）、デジタル多用途ディスク（ＤＶＤ）等）、スマートカード、およびフラッシュメモリデバイス（例えば、カード、スティック等）を挙げることができるが、それらに限定されない。加えて、搬送波は、電子メールを送受信する際、あるいはインターネットまたはローカルエリアネットワーク（ＬＡＮ）等のネットワークにアクセスする際に使用されるもの等、コンピュータ読み取り可能電子データを搬送するために採用することができることを理解されたい。当然ながら、当業者は、請求される主題の範囲または精神から逸脱することなく、本構成に多くの修正を行ってもよいことを認識するであろう。
【００２７】
前述のように、ＣＳフォールバックが、ＣＳフォールバック性能に影響を及ぼす状況を生成する可能性がある、音声呼をサービングするための信号伝達チャネル、または無線リソースの無駄を生じるさせる、信号伝達プロシージャをサービングするためのトラフィックチャネル等、非最適リソースの配分を生じるさせる潜在性が存在する。例えば、図３を参照すると、ＧＥＲＡＮにおけるモバイル着信呼開始の場合、ＵＡ１０は、典型的には、ＵＡがページングされるサービスをサポートするためのより好適な無線チャネル、例えば、孤立個別制御チャネル（ＳＤＣＣＨ）信号伝達チャネル、トラフィックチャネル（ＴＣＨ）／フル（Ｆ）を信号伝達する情報である、ＧＥＲＡＮネットワーク７４によって送信されるページングメッセージ７２内に、「必要チャネル」指示が提供される。次いで、ＵＡ１０は、ページングメッセージ７２内で受信された「必要チャネル」要素の「ページング指示」と、ＢＳＳに最も望ましいチャネルを付与させる、ＵＡ１０の独自の能力（フルレート専用、デュアルレート、ＳＤＣＣＨ専用）と、を考慮して、適切なチャネル要求７６をＧＥＲＡＮネットワーク７４に送信する。例えば、以下の表１は、ＲＲ接続確立のためのページングに応答するときのチャネル要求メッセージを列挙する。
【００２８】
【表１】
0005520386.tif 000002
しかしながら、ページングの場合、ＣＳフォールバック着信セッションのためのＥ−ＵＴＲＡＮにおけるＵＡは、ＭＭＥ２０によって、図２に関して説明されるように、ソース（パケット専用）ネットワーク内で接続モードにあるＵＡ１０に送信されるページング（ＣＳサービス通知）は、任意の「ページング指示」情報を含有しない。本ページング通知は、移動局がページングされるサービスに関する情報（例えば、補助サービスコード、位置特定サービス（ＬＣＳ）インジケータ）を含んでもよい。ページングが、アイドルモードにあるＵＡ１０に到達するために行われる場合（例えば、図６参照）、Ｓ１インターフェースおよび無線インターフェースを介して送信されるページングメッセージは、移動局がページングされるサービスの任意の指示さえ含有しない。さらに、ＧＥＲＡＮＲＲプロトコルは、ＵＡが、ＣＳフォールバックプロシージャによってトリガされる際、ページングに応答するとき、チャネル要求を構築すべき方法を指定しない。これは、ＧＥＲＡＮのために定義される既存のチャネル要求プロシージャが、標的ネットワーク内で送信され得るチャネル要求メッセージ内で適切かつ最適な情報を判定するために、ＣＳフォールバックにそのようなものとして適用不可能であることを意味する（「ページング指示」の欠如）。
【００２９】
その結果、ＧＥＲＡＮへのＣＳフォールバックは、一貫性のないＵＡ実行につながり、例えば、起動されるサービスに不適切なチャネルタイプを要求し、配分されたリソースの無駄またはより長い確立時間をもたらす。特に、音声呼設定の場合における、ＳＤＣＣＨの要求および初期配分は、トラフィックチャネル（ＴＣＨ）が要求され、信号伝達専用モードに配分される場合と比較して、音声経路確立を遅延させるであろう（ＴＣＨと比較して、ＳＤＣＣＨの待ち時間がより長くなる、同一ＴＣＨチャネルに留まるものの、チャネルモード修正プロシージャと比較して、ＳＤＣＣＨが配分される場合、音声モードにＴＣＨを割り当てるための時間がより長くなる）。他のシナリオでは、信号伝達専用モードにおけるＴＣＨの要求および初期配分は、サービス、例えば、位置特定サービスまたは補助サービスが、ＳＤＣＣＨ上でサポートすることができる場合、無線リソースの無駄となるあろう。
【００３０】
別の例示的識別された問題を参照すると、図４は、ＵＴＲＡＮネットワーク７８におけるモバイル着信ＣＳ呼を例証し、ＵＡ１０は、アイドルモードにある。この場合、ＵＡ１０は、典型的には、「ページングタイプ１」８０によって示されるように、ＵＡがページングされるサービスのタイプ、例えば、着信対話型呼、着信高優先度信号伝達、着信低優先度信号伝達を信号伝達する情報である、ＵＴＲＡＮネットワーク７８によって送信される、ページングメッセージ内に「ページング原因」情報が提供される。本情報は、ＵＡ１０内のＲＲＣプロトコルによって、上層に転送され、順に、ＲＲＣ接続の確立を要求し、ＵＴＲＡＮネットワーク７に送信されるＲＲＣ接続要求８２内に含まれるであろう、受信したページング原因にＲＲＣ確立原因をマッピングする。
【００３１】
しかしながら、ページングの場合、ＣＳフォールバック着信セッションのためのＥ−ＵＴＲＡＮにおけるＵＡは、ＭＭＥによって、ソースパケット専用（例えば、ＰＳ）ネットワークにおいて、接続モードにあるＵＡに送信される、ページング（ＣＳサービス通知）は、任意の「ページング原因」情報を含有しない。本ページング通知は、移動局がページングされるサービスに関する情報を含んでもよい。
【００３２】
ページングが、アイドルモードにあるＵＡに到達するために行われる場合、Ｓ１インターフェースおよび無線インターフェースを介して送信されるページングメッセージは、ＵＡがページングされるサービスの任意の指示を含有しない。さらに、より高次の層も、ＣＳフォールバックプロシージャの場合にＥ−ＵＴＲＡＮにおいて生じたページングに応答して、ＲＲＣ接続要求に含めるために、どの情報が、ＲＲＣプロトコルにパスされるべきかを指定しない。再び、ＵＴＲＡＮでは、これは、一貫性のないＵＡ実行につながり、著しく準最適なリソース配分または性能をもたらし得る。
【００３３】
ＧＥＲＡＮまたはＵＴＲＡＮにおけるモバイル発信呼の場合、ＵＡは、ネットワークに送信されるチャネル要求／ＲＲＣ接続要求内に、チャネルタイプ、確立原因等のいくつかの付加的情報を含み、要求されるサービスに応じて、ネットワークに適切なリソースを配分させる。次に、図２の変形例であるが、ＣＳフォールバックを受けるモバイル発信呼のためのデータフローを示す、図５を参照すると、データフローは、ＵＡ１０からネットワークへのサービス要求を処理するための動作２４を含む。サービスタイプ情報要素は、ネットワークに送信される、拡張サービス要求メッセージ内に含まれる。サービスタイプ情報要素は、以下の表２の通りである。
【００３４】
【表２】
0005520386.tif 000003
しかしながら、本情報要素は、要求されるＣＳサービス上のソースネットワークに任意の情報を提供せず、したがって、ネットワークは、要求されるサービスに従って、配分されるリソースを適切に分割し、例えば、ＲＡＴ間ハンドオーバまたはセル変更命令がサポートされる場合、利用可能なチャネルおよび負荷情報に応じて、ＵＡを標的ＣＳネットワークにハンドオーバするための最適条件を判定することができない。
【００３５】
一般に、本システムおよび方法は、遅延を減少させ、ＣＳフォールバックプロセスの信頼性を改善するために開発されている。ＣＳフォールバックは、Ｅ−ＵＴＲＡＮからＧＥＲＡＮ、具体的には、またはより一般的には、ＣＳドメインサービスを提供しない第１のネットワークから、ＣＳドメインサービスを提供する第２のネットワークに移行するために実行されてもよい。例えば、ＣＳフォールバックは、Ｅ−ＵＴＲＡＮネットワークからＧＥＲＡＮ、ＵＴＲＡＮ、またはＣＤＭＡ２０００ネットワークへのフォールバックを可能にするように実行されてもよい。この目的を達成するために、本システムおよび方法は、ＵＡに、要求されるサービスを提供するための最も適切なリソースを識別し、次いで、ＣＳフォールバックの際にＣＳネットワークに移行するとき、それらのリソースを要求させることによって、ＣＳフォールバックを促進する。本システムの一実装では、ＵＡは、ネットワークから受信した利用可能なページング情報を分析し、最も適切な通信チャネルまたは無線リソースを判定し、最適ＣＳフォールバック性能を要求するように構成される。
【００３６】
ＣＳフォールバックを開始するために、ＵＡは、最初に、ソースＰＳネットワーク（例えば、Ｅ−ＵＴＲＡＮネットワーク）からページングメッセージを受信してもよい。ページングメッセージは、ＵＡに、ＣＳフォールバックをＣＳネットワーク（例えば、ＧＥＲＡＮネットワーク）に実行し、サービスにアクセスするように命令する。関連サービスが、ページングメッセージ内で伝達される情報を使用して判定することができる場合、ＵＡは、ＣＳネットワーク上でそのサービスに好適なチャネルタイプを要求するチャネル要求メッセージを送信するように構成される。したがって、ページングメッセージ内に含有される１つ以上の情報に基づいて、ＵＡは、ＣＳフォールバックを実行する際、特定のチャネルタイプを要求するように構成される。
【００３７】
例えば、ページングメッセージが、トラフィックチャネルを要求する音声呼または任意の呼のためのものであるとき、ＵＡは、「ＴＣＨ／ＨまたはＴＣＨ／Ｆ」、あるいは「ＴＣＨ／Ｆ」チャネルを要求するように構成されてもよい。代替として、ページングメッセージが、呼独立補助サービスまたは位置特定サービスを起動するためのものであるとき、例えば、ＵＡは、ＳＤＣＣＨを要求してもよい。これらの実施例では、「ＴＣＨ／ＨまたはＴＣＨ／Ｆ」チャネルの選択は、ハーフレート（Ｈ）またはフルレート（Ｆ）チャネルの選択のために、任意の特定の選好を要求しなくてもよい。ネットワークは、ローカル条件（ネットワーク負荷状態、サービスの質（ＱｏＳ）選好等）に応じて、フルまたはハーフレートチャネルの判定を自立的に行ってもよい。しかしながら、ＴＣＨ／Ｆチャネルの選択は、フルまたはハーフレートチャネルを選択するかどうかのネットワーク決定に影響を及ぼす場合がある。
【００３８】
いくつかの状況では、ページングメッセージは、ＵＡが、ＵＡがページングされるサービスを判定するために不十分な情報を含有するであろう。その場合、ＵＡは、例えば、値「任意のチャネル」またはデフォルトチャネルを識別するある他のインジケータを使用して、「デフォルト」チャネルタイプを反映するチャネル要求を構築し、送信するように構成されてもよい。
【００３９】
故に、本システムの一例示的実装では、３ＧＰＰ  ＴＳ  ２３．２７２に説明されるもの等のＣＳフォールバックプロシージャによってトリガされるチャネル要求の場合、チャネル要求メッセージコンテンツは、移動局がページングされるサービスに関する、ソース無線アクセス技術（ＲＡＴ）において受信されたページング通知から導出することができる情報に応じて、判定されてもよい。具体的情報をページング通知から導出することができない場合、チャネル要求メッセージコンテンツは、「任意のチャネル」を示す、ページング指示値の場合として設定されてもよい。例えば、チャネル要求メッセージコンテンツは、表３に従って、エンコードされてもよく、「ページング指示」入力は、関連サービスを示すために、前述の説明に従って選択される。
【００４０】
【表３】
0005520386.tif 000004
代替として、ＵＡは、高速確立または無線リソース保存が好ましいかどうか（選好は、例えば、ユーザ選好として保存される、またはネットワークオペレータポリシーによって判定されてもよい）、あるいは特定のデフォルトチャネルを要求し得る、いくつかの他の要因に応じて、「ＴＣＨ／ＨまたはＴＣＨ／Ｆ」、あるいはＳＤＣＣＨのチャネルを選択するように構成されてもよい。
【００４１】
システム実装に応じて、ＵＡは、ページングメッセージによって示されるサービスと、フォールバックの際に要求されるチャネルタイプとの間の明示的マッピングとともに構成されてもよい。しかしながら、他の場合には、ページングメッセージ内で示されるサービスを判定後、ＵＡは、ＵＡに利用可能な他の情報に基づいて、要求するためのチャネルタイプを独立して判定してもよい。明示的マッピングが存在せず、ＵＡが、要求されるチャネルタイプを独立して判定できない場合、ＵＡは、要求するためのチャネルタイプを識別するとき、より柔軟性を有してもよく、他の利用可能な情報に依存してもよい。対照的に、明示的マッピングは、異なる解釈を排除し、特定のページングメッセージに応答して、ＵＡによって選択されるチャネルの一貫性を保証してもよい。
【００４２】
本システムの一実施例では、ＭＭＥとＵＡとの間で伝送されるＣＳサービス通知メッセージ内に存在する種々の情報要素は、ＵＡがページングされるサービスを判定するように検査されてもよく、したがって、ＵＡに、そのサービスを提供するために最も適切なチャネルタイプを要求させてもよい。起呼回線（ＣＬＩ）、補助サービス（ＳＳ）コード、ＬＣＳインジケータ、およびＬＣＳクライアント識別情報要素は、例えば、ＣＳサービス通知メッセージ内に含まれてもよく、その有無は、要求されるサービスを示すことができる。概して、ＣＬＩは、ＳＧを介してページングをトリガしたＣＳドメイン内のモバイル着信呼のための起呼回線の識別を含有する。ＳＳコード情報要素は、ＳＧを介してページングをトリガしたＣＳドメイン内の補助サービストランザクションに関する情報を含有する。ＬＣＳインジケータは、ページングが、ＣＳドメイン内の着信ＬＣＳ要求によってトリガされたことを示す。ＬＣＳクライアント識別は、ＣＳドメイン内の着信ＬＣＳ要求の要求者に関連する情報を含有する。情報要素はそれぞれ、ＳＧを介して元々受信される場合、ネットワークによって送信される。表４は、ＣＳサービス通知メッセージコンテンツを例証する。
【００４３】
【表４】
0005520386.tif 000005
これらの情報要素は、元々、ＳＧｓＡＰ−ページング−要求メッセージ内のＭＳＣ／ビジタ位置特定登録（ＶＬＲ）から受信され、ＣＳサービス通知メッセージ内でともにパスされてもよい。ＳＧｓＡＰ−ページング−要求メッセージ内の情報要素の有無は、種々のルールセットによって支配され、ＣＳフォールバックが要求されるタイプのサービスを示す。例えば、ページングが、３ＧＰＰ  ＴＳ  ２４．０１０に定義されるように、ネットワーク開始呼独立ＳＳプロシージャによる場合、ＶＬＲは、３ＧＰＰ  ＴＳ  ２９．００２に定義されるように、ＳＧｓＡＰ−ページング−要求メッセージ内にＳＳコードを含む。しかしながら、ページングが、３ＧＰＰ  ＴＳ  ２４．０３０に定義されるように、モバイル着信位置特定要求による場合、ＶＬＲは、３ＧＰＰ  ＴＳ  ２９．００２に定義されるように、ＳＧｓＡＰ−ページング−要求内にＬＣＳクライアント識別およびＬＣＳインジケータを含んでもよい。これらのルールに従って、種々の情報要素は、ＳＧｓＡＰ−ページング−要求内に含まれ、ＣＳサービス通知メッセージコンテンツ内において、ＵＡに転送される。したがって、これらの情報要素のうちの１つまたはいくつかの有無は、ＵＡに、ＵＡがページングされるサービスの判定を行うことを可能にする。
【００４４】
表５は、例示的ＳＧｓＡＰ−ページング＿要求メッセージコンテンツを例証する。
【００４５】
【表５】
0005520386.tif 000006
表５に示されるように、ＳＳコードは、ページングが、ネットワーク開始呼独立ＳＳプロシージャによる場合、含まれる（３ＧＰＰ  ＴＳ  ２４．０１０参照）。ＬＣＳインジケータは、ページングが、モバイル着信位置特定要求による場合、含まれる（３ＧＰＰ  ＴＳ  ２４．０３０参照）。ＬＣＳクライアント識別は、ページングが、モバイル着信位置特定要求による場合、含まれる（３ＧＰＰ  ＴＳ  ２４．０３０参照）。必要チャネル情報要素は、ＶＬＲが、どのチャネルＵＡを使用すべきかを示すことを意図する場合に含まれる。
【００４６】
ＵＡは、特定のページング要求によって示されるサービスを判定するために、付加的情報を検査するようにさらに構成されてもよい。付加的情報は、以下に識別されるものを含め、将来的に追加することができる、他の情報用を含んでもよい。
【００４７】
本システムはまた、アイドルモードにあるＵＡをページングするために使用される、ページングメッセージ内に、ＭＭＥで利用可能なサービス関連情報を含むように構成されてもよい。例えば、サービス関連情報は、Ｓ１およびＲＲＣページングメッセージに追加されてもよい。一実施例では、サービス関連情報は、前述の「ＳＳコード」、「ＬＣＳインジケータ」、および「ＬＣＳクライアント識別」情報要素を含んでもよい。サービス関連情報は、ＳＧｓＡＰ−ページング−要求メッセージ内において、ＳＧインターフェースを介して、ＭＳＣ／ＶＬＲによって、ＭＭＥに通信されてもよい。ある場合には、これらの情報要素は、接続モードにあるＵＡをページングするために使用される、ＣＳサービス通知メッセージ  内に既に存在しており、したがって、ＭＭＥによって、Ｓ１  インターフェース  ページングメッセージに、Ｅ−ＵＴＲＡＮ  ＲＲＣプロトコルによって、Ｅ−ＵＴＲＡＮ  ＲＲＣ無線インターフェースページングメッセージに、追加されてもよい。次いで、ページングメッセージ内に提示される付加的情報は、接続モードにおいて、ＵＡがページングされる場合に加え、アイドルモードにおいて、ＵＡがページングされるときに使用されてもよい。
【００４８】
表６は、ＳＳコード、ＬＣＳインジケータ、およびＬＣＳクライアント識別情報要素を含むように修正される、Ｓ１インターフェースページングメッセージを例証する。
【００４９】
【表６】
0005520386.tif 000007
表７は、ＳＳコード、ＬＣＳインジケータ、およびＬＣＳクライアント識別情報要素を含むように修正されたＥ−ＵＴＲＡＮＲＲＣプロトコルページングメッセージを例証する。
【表７−１】
0005520386.tif 000008
【００５０】
【表７−２】
0005520386.tif 000009
表７を参照すると、ｓｓ−コードは、ネットワーク開始補助サービス要求に関連する情報を伝達する。ｌｃｓ−インジケータは、メッセージの起源が、ＬＣＳ要求によるものであることと、本要求のタイプを示す。ｌｃｓ−インジケータのコード化は、ＴＳ  ２４．３０１内のＬＣＳインジケータ情報要素の値の部分によって与えられる。ｌｃｓ−クライアント−識別は、ＬＣＳ要求のクライアントに関連する情報を伝達する。ＬＣＳクライアント識別のコード化は、３ＧＰＰ  ＴＳ  ２９．００２の第１７．７．１３項に与えられる。
【００５１】
図６は、サービス関連情報がページングメッセージ内でＵＡ１０にパスされる、ＣＳフォールバックを実行するためのメッセージフローの例証である。ステップ１００、１０２、および１０４では、ＵＡ着信呼は、ＭＳＣ／ＶＬＲ１４０に到着する。ステップ１０６では、ＳＧｓＡＰ−ページング−要求メッセージが、ＭＭＥ２０に伝送される。ＳＧｓＡＰ−ページング−要求は、要求されるサービスタイプを示す、１つ以上の情報要素を含んでもよい。ステップ１０８および１１０では、ＭＭＥ２０は、ページングメッセージをＵＡ１０に転送する。ページングメッセージは、前述の情報要素のうちの１つ以上を含むように修正される。情報要素のうちの１つ以上の有無は、ＵＡに、ページングメッセージが送信されるサービスタイプを識別可能にする。その結果、ステップ１１２では、ＵＡは、サービスのための適切なリソースを要求することができる。ステップ１１４では、サービス要求に応答して、ＭＭＥ２０は、初期ＵＡコンテキスト設定メッセージを発行する。ステップ１１６、１１８、および１２０では、ＰＳハンドオーバ、または代替として、基地局補助セル変更、あるいはリダイレクトによるＲＲＣ解放に続いて、可能性として、位置特定エリアアップデートが、完了する。ステップ１２２では、ページング応答が、ＵＡ１０からＲＮＣ／ＢＳＣ１４２に伝送され、ページング応答は、ステップ１２４において、ＭＳＣ／ＶＬＲ１４０に転送される。ＭＳＣが変更されない場合、ＣＳ接続は、ステップ１２６において確立され、ＣＳフォールバックプロセスが完了する。しかしながら、ＭＳＣが変更される場合、ステップ１２８において、ＭＳＣ／ＶＬＲ１４０は、ＲＮＣ／ＢＳＣ１４２に、接続拒否を伝送する。応答して、ＲＮＣ／ＢＳＣ１４２は、ステップ１３０において、ＵＡ１０に、信号伝達接続解放を伝送する。この時点で、ステップ１３２におけるＣＳフォールバック試行に含んで、位置特定エリアアップデートおよびローミング再試行が開始される。
【００５２】
代替として、ＣＳフォールバックを促進するために、必要チャネル情報要素は、ＭＭＥに知らせるべきとき、アイドルまたは接続モードにあるＵＡをページングするために、ＵＡに送信されるページングメッセージに追加されてもよい。例えば、必要チャネル情報要素は、ＭＭＥとＵＡとの間で伝送される、ＣＳサービス通知ＮＡＳメッセージ（前述の）、前述のＳ１インターフェースページングメッセージ、または前述のＲＲＣ無線インターフェースプロトコルに追加されてもよい。ある場合には、必要チャネル情報要素を取り込むために使用されるデータは、前述のように、ＳＧｓＡＰ−ページング−要求メッセージ内において、ＳＧインターフェースを介して、ＭＳＣ／ＶＬＲによって、ＭＭＥに通信される。必要チャネル情報は、ページングメッセージ内に存在するとき、同一情報が、ＧＥＲＡＮページングメッセージ内に存在するであろうため（ＭＳＣ／ＶＬＲによって伝送される場合）、ＵＡが、ＧＥＲＡＮ内のＣＳフォールバックページングに応答すると、ＵＡに、適切なチャネル要求メッセージを効率的に生成させることを可能にする。
【００５３】
フォールバックによって、モバイル着信ＣＳ呼のために、Ｅ−ＵＴＲＡＮにおいてページングされたＵＡに、ＵＴＲＡＮネットワークにおいて応答するとき、適切な確立原因を送信させるために、新しいマッピング入力が導入されてもよい。これは、関連サービスが、ページングメッセージ内で伝達される情報から査定することができる場合、ＵＡに、ＵＡがページングされるサービスを反映する適切な確立原因をネットワークに通信させることを可能にするであろう。その場合、ＵＡは、ソースパケットネットワーク内（例えば、Ｅ−ＵＴＲＡＮ）で受信されるページングに対して、ＵＴＲＡＮにおいて応答するとき、ＲＲＣ接続要求メッセージ内において、上層によって通信される、マッピングされた確立原因を含んでもよい。
【００５４】
実施例として、確立原因は、以下のように判定されてもよい。確立原因は、受信したページングが、音声呼または任意の他の対話型ＣＳ呼であるとき、「着信対話型呼」であって、あるいは受信したページングが、呼独立補助サービスまたは位置特定サービスを起動するためのものであるとき、「着信高優先度信号伝達」であってもよい。
【００５５】
ＵＡがページングされるサービスが、ネットワークから利用可能な情報から査定することができない場合、ＵＡは、確立原因として、「着信原因不明」を使用してもよい。
【００５６】
表８は、確立原因へのＣＳ  ＮＡＳプロシージャの例示的マッピングを例証する。
【００５７】
【表８】
0005520386.tif 000010
種々の情報要素は、ＭＭＥとＵＡとの間のＣＳサービス通知メッセージ内に存在するとき、「ＳＳコード」、「ＬＣＳインジケータ」、および「ＬＣＳクライアント識別」情報要素を含む、モバイルがページングされるサービスの指示を提供してもよい。種々の情報要素は、前述のように、ＳＧｓＡＰ−ページング−要求メッセージ内において、ＭＳＣ／ＶＬＲから受信されてもよい。したがって、これらの情報要素のうちの１つまたはいくつかの有無は、ＵＡに、ＵＡがページングされるサービスの判定を行うことを可能にしてもよい。ネットワークまたは他のソースから受信したメッセージから、ＵＡによってアクセスあるいは読み出され得る、任意の他の情報は、ＵＡがページングされるサービスを判定するために使用されてもよい。これは、前述のものを含む、将来的に追加される新しい情報要素を含んでもよい。
【００５８】
モバイル発信（ＭＯ）呼を開始するとき、ＵＡは、ＣＳフォールバックがトリガされ得る、要求されるＣＳサービスを記述する、付加的情報をＰＳネットワークに提供するように構成されてもよい。一実装では、ＵＡは、ＰＳネットワークのＭＭＥに伝送される拡張サービス要求メッセージ内に、要求されるＣＳサービスを記述する付加的情報を含んでもよい。同様に、付加的情報は、Ｓ１インターフェースを使用して、ＭＭＥからｅＮｏｄｅＢに伝送される、ＩＮＩＴＩＡＬコンテキスト設定要求、またはＵＡコンテキスト修正要求メッセージ内に含まれてもよい（３ＧＰＰ  ＴＳ  ３６．４１３参照）。
【００５９】
表９および表１０は、ＣＳフォールバックをもたらす、ＭＯ呼を開始するＵＡによって要求されるＣＳサービスを記述する付加的情報を含む、修正された拡張サービス要求メッセージを例証する。
【００６０】
【表９】
0005520386.tif 000011
【００６１】
【表１０】
0005520386.tif 000012
表９および表１０に示されるように、表９に示される拡張サービス要求メッセージは、「拡張サービス要求原因」と呼ばれる付加的要素を含む。拡張サービス要求原因情報要素の詳細は、表１０に示される。拡張サービス要求原因要素は、要求されるＣＳサービスを記述する、オクテット１内に識別子値を格納するように構成される。例えば、識別子は、発信対話型呼、発信高優先度信号伝達、または発信低優先度信号伝達等のＣＳサービスを指すために使用されてもよい。表１１は、拡張サービス要求原因情報要素のオクテット１の一例示的構成を例証する。
【００６２】
【表１１】
0005520386.tif 000013
ある場合には、既存の拡張サービス要求メッセージ内に存在する既存のサービスタイプ情報要素は、要求されるＣＳサービスを識別するように修正され、使用されてもよい。代替として、サービス通知メッセージのために定義される「ＳＳコード」または「ＬＣＳインジケータ」等の発信サービスを示す、付加的情報要素が、ＵＡがモバイル発信呼を開始するときに、メッセージ内に含まれてもよい。別の実施例では、ＣＳサービス情報は、ＣＳフォールバックを受けるモバイル発信呼を開始するとき、アイドルモードから接続モードにＵＡを移行させるために使用され得る、ＲＲＣ接続要求メッセージ内に含まれてもよい（３ＧＰＰ  ＴＳ  ３６．３３１参照）。
【００６３】
図７は、ＵＡ１０の例示的ブロック図を示す。ＵＡ１０の種々の周知の構成要素が描写されるが、ある実施形態では、列挙された構成要素の下位集合および／または列挙されない付加的構成要素が、ＵＡ１０内に含まれてもよい。ＵＡ１０は、デジタル信号プロセッサ（ＤＳＰ）８０２等のプロセッサと、メモリ８０４と、を含む。示されるように、ＵＡ１０は、アンテナおよびフロントエンドユニット８０６と、無線周波数（ＲＦ）送受信機８０８と、アナログベースバンド処理ユニット８１０と、をさらに含んでもよい。種々の構成では、ＵＡ１０は、図７に例証されるように、付加的随意構成要素を含んでもよい。付加的構成要素として、例えば、マイクロホン８１２、イヤホンスピーカ８１４、ヘッドセットポート８１６、入力／出力インターフェース８１８、可撤性メモリカード８２０、ユニバーサルシリアルバス（ＵＳＢ）ポート８２２、短距離無線通信サブシステム８２４、アラート８２６、キーパッド８２８、タッチセンサ式表面８３０を含んでもよい、液結ディスプレイ（ＬＣＤ）、ＬＣＤコントローラ８３２、電荷結合素子（ＣＣＤ）カメラ８３４、カメラコントローラ８３６、および全地球測位システム（ＧＰＳ）センサ８３８を含んでもよい。ある実施形態では、ＵＡ１０は、タッチセンサ式画面を提供しない、別の種類のディスプレイを含んでもよい。ある実施形態では、ＤＳＰ８０２は、入力／出力インターフェース８１８を通過せずに、メモリ８０４と直接通信してもよい。
【００６４】
ＤＳＰ８０２またはいくつかの他の形態のコントローラあるいは中央処理ユニットは、メモリ８０４内に格納された、またはＤＳＰ８０２本体内に含有されるメモリに格納された、内蔵されたソフトウェアあるいはファームウェアに従って、ＵＡ１０の種々の構成要素を制御するように動作する。内蔵されたソフトウェアまたはファームウェアに加え、ＤＳＰ８０２は、メモリ８０４内に格納された、あるいは可撤性メモリカード８２０のようなポータブルデータ記憶媒体等の情報キャリアメディアを介して、もしくは有線または無線ネットワーク通信を介して、利用可能である、他のアプリケーションを実行してもよい。アプリケーションソフトウェアは、所望の機能性を提供するように、ＤＳＰ８０２を構成する、機械読み取り可能命令のコンパイルされたセットを含んでもよく、あるいはアプリケーションソフトウェアは、ＤＳＰ８０２を間接的に構成するために、インタープリタまたはコンパイラによって処理される、高次ソフトウェア命令であってもよい。
【００６５】
アンテナおよびフロントエンドユニット８０６は、無線信号と電気信号との間で変換されるように提供され、ＵＡ１０に、セルラーネットワークまたはいくつかの他の利用可能な無線通信ネットワークから、あるいはピアＵＡ１０から、情報を送受信することを可能にしてもよい。ある実施形態では、アンテナおよびフロントエンドユニット８０６は、ビーム形成および／または多重入出力（ＭＩＭＯ）動作をサポートするように、複数のアンテナを含んでもよい。当業者に周知のように、ＭＩＭＯ動作は、困難なチャネル条件を克服する、および／またはチャネルスループットを増加させるために使用することができる、空間的多様性を提供してもよい。アンテナおよびフロントエンドユニット８０６は、アンテナ同調および／またはインピーダンス整合構成要素、ＲＦ電力増幅器、および／または低雑音増幅器を含んでもよい。
【００６６】
ＲＦ送受信機８０８は、周波数シフト、受信したＲＦ信号のベースバンドへの変換、およびベースバンド伝送信号のＲＦへの変換を提供する。いくつかの説明では、無線送受信機またはＲＦ送受信機は、変調／復調、符号化／復号化、インタリービング／デインタリービング、拡散／逆拡散、逆高速フーリエ変換（ＩＦＦＴ）／高速フーリエ変換（ＦＦＴ）、サイクリックプレフィックス付加／除去、および他の信号処理機能等の他の信号処理機能性を含むものとして理解されてもよい。明確にするために、本明細書における説明は、本信号処理の説明とＲＦおよび／または無線段階を分離し、概念的に、その信号処理をアナログベースバンド処理ユニット８１０および／またはＤＳＰ８０２または他の中央処理ユニットに配分する。いくつかの実施形態では、ＲＦ送受信機８０８、アンテナおよびフロントエンド８０６の一部、ならびにアナログベースバンド処理ユニット８１０は、１つ以上の処理ユニットおよび／または特定用途向け集積回路（ＡＳＩＣ）内で組み合わせられてもよい。アナログベースバンド処理ユニット８１０は、入力および出力の種々のアナログ処理、例えば、マイクロホン８１２およびヘッドセット８１６からの入力ならびにイヤホン８１４およびヘッドセット８１６からの出力のアナログ処理を提供してもよい。
【００６７】
ＤＳＰ８０２は、変調／復調、符号化／復号化、インタリービング／デインタリービング、拡散／逆拡散、逆高速フーリエ変換（ＩＦＦＴ）／高速フーリエ変換（ＦＦＴ）、サイクリックプレフィックス付加／除去、および無線通信と関連付けられた他の信号処理機能を行ってもよい。ある実施形態では、例えば、符号分割多重アクセス（ＣＤＭＡ）技術アプリケーションでは、送信機機能のために、ＤＳＰ８０２は、変調、符号化、インターリービング、および拡散を行ってもよく、受信機機能ために、ＤＳＰ８０２は、逆拡散、デインターリービング、復号化、および復調を行ってもよい。別の実施形態では、例えば、直交周波数分割多重アクセス（ＯＦＤＭＡ）技術アプリケーションでは、送信機機能のために、ＤＳＰ８０２は、変調、符号化、インターリービング、逆高速フーリエ変換、およびサイクリックプレフィックス付加を行ってもよく、受信機機能のために、ＤＳＰ８０２は、サイクリックプレフィックス除去、高速フーリエ変換、デインターリービング、復号化、および復調を行ってもよい。他の無線技術アプリケーションでは、さらに他の信号処理機能および信号処理機能の組み合わせが、ＤＳＰ８０２によって行われてもよい。ＤＳＰ８０２は、アナログベースバンド処理ユニット８１０を介して、無線ネットワークと通信してもよい。
【００６８】
図８は、ＵＡ１０のプロセッサまたはコントローラによって実行されてもよい、ソフトウェア環境９０２を例証する。ソフトウェア環境９０２は、ソフトウェアの残りが動作する、プラットフォームを提供する、ＵＡ１０のプロセッサまたはコントローラによって実行される、オペレーティングシステムドライバ９０４を含む。オペレーティングシステムドライパ９０４は、ＵＡハードウェアのためのドライバに、アプリケーションソフトウェアにアクセス可能な標準化されたインターフェースを提供する。オペレーティングシステムドライパ９０４は、ＵＡ１０上で実行するアプリケーション間の制御を転送する、アプリケーション管理サービス（「ＡＭＳ」）９０６を含む。また、図８には、ウェブブラウザアプリケーション９０８、メディアプレーヤアプリケーション９１０、およびＪａｖａ（登録商標）アプレット９１２が示される。
【００６９】
ＵＡ１０は、前述の作用に関連する命令を実行可能である、ＤＳＰ等の処理構成要素を含む。図９は、ＵＡ１０の機能性を提供する、構成要素のうちの１つ以上を含む、システム１０００の実施例を例証する。システム１０００は、本明細書に開示される１つ以上の実施形態を実行するために好適な処理構成要素１０１０を含む。処理構成要素１０１０（中央処理装置（ＣＰＵまたはＤＳＰ）と称され得る）に加え、システム１０００は、ネットワーク接続デバイス１０２０、ランダムアクセスメモリ（ＲＡＭ）１０３０、読取専用メモリ（ＲＯＭ）１０４０、二次記憶装置１０５０、および入／出力（Ｉ／Ｏ）デバイス１０６０を含む場合がある。ある場合には、これらの構成要素のうちのいくつかは、存在しなくてもよく、相互に、または図示されない他の構成要素と種々の組み合わせにおいて、組み合わせられてもよい。プロセッサ１０１０によって講じられる本明細書に説明される任意の措置は、プロセッサ１０１０単独によって、あるいは図面に図示される、または図示されない、１つ以上の構成要素と併用して、プロセッサ１０１０によって、講じられる場合がある。
【００７０】
プロセッサ１０１０は、ネットワーク接続デバイス１０２０、ＲＡＭ１０３０、ＲＯＭ１０４０、または二次記憶装置１０５０（ハードディスク、フロッピー（登録商標）ディスク、または光ディスク等の種々のディスクベースのシステムを含む場合がある）からアクセスし得る、命令、コード、コンピュータプログラム、あるいはスクリプトを実行する。１つのＣＰＵ１０１０のみ示されるが、複数のプロセッサが存在してもよい。したがって、命令は、プロセッサによって実行されるように論じられ得るが、命令は、１つまたは複数のプロセッサによって、同時に、連続的に、または別様に実行されてもよい。プロセッサ１０１０は、１つ以上のＣＰＵチップとして実装されてもよい。
【００７１】
ネットワーク接続デバイス１０２０は、無線周波数信号またはマイクロ波周波数信号等の電磁波の形態として、データを無線で伝送および／または受信可能な１つ以上の送受信機構成要素１０２５を含んでもよい。送受信機構成要素１０２５は、別個の受信および伝送ユニットまたは単一送受信機を含む場合がある。送受信機１０２５によって伝送または受信される情報は、プロセッサ１０１０によって処理されるデータ、またはプロセッサ１０１０によって実行される命令を含んでもよい。そのような情報は、例えば、コンピュータデータベースバンド信号または搬送波中に埋め込まれた信号の形態として、ネットワークから受信され、そこに出力されてもよい。データは、データを処理または生成する、あるいはデータを伝送または受信するためのいずれかに望ましいであろう、異なるシーケンスに従って、順序付けられてもよい。現在使用されている、または今後開発される、ベースバンド信号、搬送波中に埋め込まれた信号、あるいは他のタイプの信号は、伝送媒体と称されてもよく、当業者に周知のいくつかの方法に従って、生成されてもよい。
【００７２】
ＲＡＭ１０３０は、揮発性データと、恐らく、プロセッサ１０１０によって実行される命令とを格納するために使用される場合がある。ＲＯＭ１０４０は、典型的には、二次記憶装置１０５０のメモリ容量より小さいメモリ容量を有する、不揮発性メモリデバイスである。ＲＯＭ１０４０は、命令と、恐らく、命令の実行の際に読み取られるデータとを格納するために使用される場合がある。ＲＡＭ１０３０およびＲＯＭ１０４０の両方へのアクセスは、典型的には、二次記憶装置１０５０より高速である。
【００７３】
Ｉ／Ｏデバイス１０６０は、液晶ディスプレイ（ＬＣＤ）、タッチスクリーンディスプレイ、キーボード、キーパッド、スイッチ、ダイヤル、マウス、トラックボール、音声認識装置、カードリーダ、ペーパーテープリーダ、プリンタ、ビデオモニタ、または他の周知の入／出力デバイスを含んでもよい。また、送受信機１０２５は、ネットワーク接続デバイス１０２０の構成要素の代わりに、またはそれに加えて、Ｉ／Ｏデバイス１０６０の構成要素と見なされる場合がある。Ｉ／Ｏデバイス１０６０の一部または全部は、ディスプレイ７０２および入力７０４等のＵＡ１０の前述の図面に描写される種々の構成要素に実質的に類似してもよい。
【００７４】
いくつかの実施形態が、本開示に提供されたが、開示されるシステムおよび方法は、本開示の精神または範囲から逸脱することなく、多くの他の特定の形態において具現化されてもよいことを理解されたい。本実施例は、制限ではなく、例証として見なされ、本明細書に与えられる詳細に限定されないことが意図される。例えば、種々の要素または構成要素は、組み合わせられる、または別のシステムに統合されてもよく、あるいはある特徴は、省略される、または実装されなくてもよい。
【００７５】
また、個別または別個として、種々の実施形態に説明および例証される、技術、システム、サブシステム、ならびに方法は、本開示の範囲から逸脱することなく、他のシステム、モジュール、技術、または方法と組み合わせられる、あるいは統合されてもよい。結合される、または直接結合される、あるいは相互に通信するように示される、もしくは論じられる、他のアイテムは、電気的に、機械的に、または別様にかにかかわらず、いくつかのインターフェース、デバイス、あるいは中間構成要素を通して、間接的に結合される、もしくは通信してもよい。変更、代用、および改変の他の実施例も、当業者によって究明可能であって、本明細書に開示される精神および範囲から逸脱することなく、成され得る。
【００７６】
本開示の範囲の公益を評価するために、以下の請求が行われる。
【図１】
0005520386.tif 000014
【図２】
0005520386.tif 000015
【図３】
0005520386.tif 000016
【図４】
0005520386.tif 000017
【図５】
0005520386.tif 000018
【図６】
0005520386.tif 000019
【図７】
0005520386.tif 000020
【図８】
0005520386.tif 000021
【図９】
0005520386.tif 000022